(57)【特許請求の範囲】
【請求項１】
コンテンツ検索方法であって、
分布軸により分けられる複数のセルをディスプレイする分布図において、実行中であるコンテンツを含むセルの位置をディスプレイするステップと、
検索ボタンを入力する場合、キーワードが変更された分布軸に従って変更されるスキン画面で複数のセルをディスプレイする分布図において、前記実行中であるコンテンツを含み、
前記分布軸により分けられる複数のセルは、前記分布軸に対応するキーワードに対するコンテンツの個数に基づいて各領域に含まれるセルの属性が変更及びディスプレイされる
ことを特徴とする方法。
【請求項２】
前記分布図でディスプレイされる複数のセルの各々は、少なくとも一つのコンテンツが含まれるか、あるいはコンテンツが含まれないことを特徴とする請求項１に記載の方法。
【請求項３】
前記セルの属性は、前記各領域に含まれる前記セルのサイズ及び個数であることを特徴とする請求項１に記載の方法。
【請求項４】
前記分布図で前記実行中であるコンテンツを含むセルの位置は、全体セルの中で前記実行中であるコンテンツのセルのみに対して対応イメージでディスプレイされることを特徴とする請求項１に記載の方法。
【請求項５】
前記分布軸は、少なくとも２個の軸で構成され、前記複数のセルは、前記少なくとも２個の軸を通じて２次元的又は３次元的にディスプレイすることを特徴とする請求項１に記載の方法。
【請求項６】
前記分布図で前記実行中であるコンテンツを含むセルが選択される場合、前記セルが入力される時間を判定するステップと、
前記セルが長く入力される場合、前記セルに含まれた少なくとも一つのコンテンツを前記少なくとも一つのセルの対応イメージとしてディスプレイするステップと、
前記少なくとも一つのセルの対応イメージがディスプレイされている間に所定セルが他の位置に移動する場合、前記少なくとも一つのセルが移動して対応イメージをディスプレイするステップと、
前記ディスプレイされる少なくとも一つのセルの中からセルが選択される場合、前記選択されたセルに含まれたコンテンツを実行するステップと、
をさらに有することを特徴とする請求項１に記載の方法。
【請求項７】
前記セルが長く入力される場合、前記少なくとも一つのセルの対応イメージは、前記実行中であるコンテンツを含むセルを中心に隣接セルに再配置してディスプレイし、
前記少なくとも一つのセルの対応イメージは、前記分布図にディスプレイされる分布軸のキーワードに従って順にディスプレイされることを特徴とする請求項６に記載の方法。
【請求項８】
前記コンテンツを実行するステップは、
前記少なくとも一つのセルの中から複数のセルが選択される場合、前記選択された複数のセルが選択された順に実行するステップをさらに有することを特徴とする請求項６に記載の方法。
【請求項９】
前記セルが短く入力される場合、前記実行中であるコンテンツを含むセルの情報をディスプレイするステップをさらに有することを特徴とする請求項６に記載の方法。
【請求項１０】
前記分布図で特定のセルが選択される場合、前記特定のセルが入力される時間を判定するステップと、
前記特定のセルが短時間入力される場合に前記特定のセルに関する情報をディスプレイするステップと、
前記特定のセルが長時間入力される場合、前記特定のセル及び前記特定のセルの隣接セルの対応イメージをディスプレイするステップと、
前記特定のセルが所定時間の間に２回入力される場合、前記特定のセルに含まれたコンテンツを実行するステップと、
を有することを特徴とする請求項１に記載の方法。
【請求項１１】
前記特定のセルが選択される場合、前記特定のセルの対応イメージをディスプレイすることを特徴とする請求項１０に記載の方法。
【請求項１２】
前記特定のセルを含む複数のセルが選択された後に実行が選択される場合、前記選択された複数のセルが選択された順に実行するステップをさらに有することを特徴とする請求項１０に記載の方法。
【請求項１３】
前記特定のセルが長時間入力される場合、前記特定のセル及び前記隣接セルの対応イメージは前記特定のセル位置を中心に隣接セルに再配置及びディスプレイされ、
前記特定のセル及び前記隣接セルの対応イメージは前記分布図にディスプレイされる分布軸のキーワードに従って順にディスプレイされることを特徴とする請求項１０に記載の方法。
【請求項１４】
前記対応イメージでディスプレイされる前記特定のセル及び前記隣接セルは一時的又は連続的に拡大してディスプレイされることを特徴とする請求項１３に記載の方法。
【請求項１５】
前記特定のセル及び前記特定のセルの隣接セルがディスプレイされている間に所定のセルが選択される場合、前記選択されたセルに含まれたコンテンツを実行するステップをさらに有することを特徴とする請求項１０に記載の方法。
【発明の詳細な説明】
【技術分野】
【０００１】
本発明はコンテンツ検索方法に関するもので、特にユーザーの所望するコンテンツを直接に検索するコンテンツ検索方法に関する。
【背景技術】
【０００２】
一般的に携帯デバイス、例えば携帯電話機、ＰＤＡ(Personal Digital Assistant)、及びコンピュータでは、データベースを活用する検索方法とファイルリストを用いる検索方法は、コンテンツを検索するために使用される。
【０００３】
図１Ａ及び図１Ｂは、従来技術によるコンテンツ検索方法を説明するためのブロック構成図である。図１Ａは、データベースを活用する検索方法を示し、図１Ｂはファイルリストを用いる検索方法を示す。
【０００４】
データベースを活用する検索方法も、ファイルリストを用いる検索方法も、上下従属概念のツリー(tree)構造を採用する検索方法を使用する。
【０００５】
しかしながら、上記のような検索方法が検索を完了するまで多くの検索ステップを要求するため、ユーザーの所望するコンテンツを検索するためには多くの操作ステップを経る必要があるという不便さがあった。
【発明の概要】
【発明が解決しようとする課題】
【０００６】
したがって、本発明は、上記した従来技術の問題点に鑑みてなされてものであって、その目的は、ユーザーの所望するコンテンツを直接に検索できるコンテンツ検索方法を提供することにある。
【課題を解決するための手段】
【０００７】
上記のような目的を達成するために、本発明の一態様によれば、コンテンツ検索方法が提供される。この方法は、分布軸(distribution axis)により分けられる複数のセルをディスプレイする分布図(distribution map)で実行中であるコンテンツを含むセルの位置をディスプレイするステップと、検索ボタンを入力する場合、キーワードが変更された分布軸に従って変更されるスキン画面で複数のセルをディスプレイする分布図で実行中であるコンテンツを含むセルの位置を再分布してディスプレイするステップとを有する。
【発明の効果】
【０００８】
本発明は、ユーザーの所望するコンテンツを直接に検索できるコンテンツ検索方法を提供することによって、複数のコンテンツが存在する場合にも多くの操作ステップを経ることなく、ユーザーが所望のコンテンツを実行することによって、コンテンツ実行の便利さと楽しみを提供できる効果を有する。
【０００９】
本発明の他の態様、利点、及び顕著な特徴は、添付の図面及び本発明の実施形態からなされた以下の詳細な説明から、この分野の当業者に明確になるはずである。
【図面の簡単な説明】
【００１０】
【図１Ａ】従来技術によるコンテンツ検索方法を示すブロック構成図である。
【図１Ｂ】従来技術によるコンテンツ検索方法を示すブロック構成図である。
【図２Ａ】本発明の実施形態によるコンテンツ検索手順を示すフローチャートである。
【図２Ｂ】本発明の実施形態によるコンテンツ検索手順を示すフローチャートである。
【図３】本発明の実施形態により、図２Ａに関連した分布図で再生中のコンテンツを含むセルの位置及び分布軸の変更に従って再生中のコンテンツを含むセルの位置が変更されることを説明する図である。
【図４】本発明の実施形態により、図２Ｂに関連した分布図から選択された特定のセルのディスプレイ及び再生プロセスを説明する図である。
【発明を実施するための形態】
【００１１】
以下、本発明の望ましい実施形態を添付の図面を参照して詳細に説明する。
【００１２】
図面において、同一又は類似した要素、特徴、及び構成に対しては同一の参照番号を使用することに注意すべきである。
【００１３】
したがって、本発明の実施形態では、理解を助けるために多様で詳細な説明を含む。しかしながら、これら詳細な説明は、主に典型的な例として考えられる。また、本発明の範囲及び精神を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００１４】
次の説明及び請求項に使用される用語及び単語は、辞典的意味に限定されるものではなく、発明者によって本発明の理解を明確にかつ一貫性のあるようにするために使用される。
したがって、以下の本発明の実施形態の記載は、説明のみを目的とし、添付の特許請求の範囲及びそれと均等なものに基づいて定義される発明を制限するものではないことは、当業者には明らかである。
【００１５】
英文明細書に記載の“ａ”、“ａｎ”、及び“ｔｈｅ”、すなわち単数形は、コンテキスト中に特記で明示されない限り、複数形を含むことは、当業者には明らかである。したがって、例えば、“コンポーネント表面(a  component  surface)”との記載は一つ又は複数の表面を含む。
【００１６】
本発明の実施形態で使用される用語“コンテンツ”は、携帯デバイスに格納される音楽データ、電話帳データ、写真データ、及び動画像データを含み、ユーザーによって検索できるすべてのデータを示す。
【００１７】
本発明の実施形態により、少なくとも２個の軸を有する分布軸のキーワードの組み合わせによって分けられる複数のセルをディスプレイする分布図において、現在実行中であるコンテンツを含むセルの位置は、対応するイメージでディスプレイされる。このとき、セルにディスプレイされる対応イメージは、セルに含まれたコンテンツを示すイメージであって、実行中のコンテンツが音楽データである場合にはアルバムジャケットイメージであり、実行中のコンテンツが電話帳データである場合には対応電話番号に対応するように格納された写真データをサムネイル(thumbnail)イメージであり、実行中のコンテンツが写真データである場合には写真データのサムネイルイメージであり、あるいは実行中のコンテンツが動画像データである場合には最初のフレームの静止イメージのサムネイルイメージであり得る。
【００１８】
また、分布軸のキーワードの組み合わせによって区分される複数のセルの各々は、一つのコンテンツ又は複数のコンテンツを含み、あるいは一つのコンテンツも含まないことがある。さらに、各セルは、六角形、四角形、及び円形のような多様な形状でディスプレイされ得る。
【００１９】
また、分布図にディスプレイされるセルのサイズ及び個数は、分布軸により区分される対応領域で分布軸のキーワードの組み合わせに対応するコンテンツの個数に基づいて変更及びディスプレイされ得る。例として、２個の軸、例えばＸ軸及びＹ軸を有する分布軸で区分される分布図では、４個の領域に分割することができる。この場合、全体５０個のコンテンツが分布軸のキーワードの組み合わせに従って４個の領域各々に分布及びディスプレイされる場合、各領域にディスプレイされる複数のセルのサイズ及び個数は、対応コンテンツの個数に従って変更される。
【００２０】
分布軸は、Ｘ軸とＹ軸で構成されて分布図で複数のセルを２次元的にディスプレイしたり、あるいはＸ軸、Ｙ軸、及びＺ軸で構成されて分布図で複数のセルを３次元的にディスプレイすることができる。また、分布軸は、Ｘ及びＹ軸、又はＸ，Ｙ，Ｚ軸以外にユーザーの使用頻度を表す所定の軸をさらに含むことが可能である。または、ユーザーの使用頻度は、分布図にディスプレイされる複数のセルに対して特定色でディスプレイすることができる。
【００２１】
分布軸のキーワードは、予め設定し、あるいはユーザーにより設定することができる。
【００２２】
また、分布軸のキーワードタイプによって、各キーワードは、絶対値又は相対値を有し、相対値のキーワードを有する分布軸の中心は、常に中央に位置され、絶対値のキーワードを有する分布軸の中心はポインタの変更を通じて変更され得る。
【００２３】
本実施形態において、分布図は、異なるキーワードの分布軸を有することができ、異なるキーワードの分布軸を有する分布図は、各々相互に異なるグラフィカルユーザーインターフェース(Graphical User Interface：ＧＵＩ)スキン画面に複数のセルをディスプレイすることができる。この場合、ユーザーによって所定のボタンが入力されるときはいつでも、変更されたキーワードを有する分布軸に従って変更されるＧＵＩスキン画面において複数のセルをディスプレイする分布図がディスプレイされる。
【００２４】
また、ユーザーによって所定のボタンが入力されるたびに、又は所定時間ごとに自動で、複数の面を有する３次元イメージは、回転して３次元イメージの各々に含まれた別途のＧＵＩスキンを有する分布図をディスプレイし、それによって視覚的効果を提供することができる。
【００２５】
また、別途のＧＵＩスキンを有する分布図は、異なるキーワードの分布軸を有し、それによって現在実行中であるコンテンツを含むセルの位置は、対応分布図に従って異なる位置に対応イメージでディスプレイされる。
【００２６】
本実施形態において、分布図で現在実行中であるコンテンツを含むセルは、複数のコンテンツを含むことができる。セルが複数のコンテンツを含むときにおいて、セルが長時間入力(タッチ)される場合、複数のコンテンツは、複数のセルの対応イメージでディスプレイされる。このとき、複数のセルの対応イメージは、現在実行中であるコンテンツを含むセルを中心に隣接セルに位置してディスプレイされる。このとき、複数のセルの対応イメージは、分布図にディスプレイされる分布軸のキーワードによって順に拡張されてディスプレイすることができる。複数のセルは、一時的又は連続的に拡大及びディスプレイできる。あるいは、現在実行中であるコンテンツを含むセルは、複数のセルがディスプレイされた後に一定時間内に再び入力される場合、複数のセルの対応イメージは消され得る。
【００２７】
また、対応イメージでディスプレイされる複数のセルのうち所定のセルが選択される場合、選択されたセルに含まれるコンテンツが実行される。複数のセルのうち少なくとも２個のセルが選択される場合、選択されたセルに含まれるコンテンツは、選択された順に実行される。このとき、所定のセルが所定時間の間に２回入力される場合、実行命令と判定して対応コンテンツを実行できる。また、コンテンツが実行される場合、ディスプレイ部の画面は、分布図から実行モードの画面に転換され得る。
【００２８】
さらに、ポインタが、対応イメージでディスプレイされる複数のセルの中で所定のセルに入力された後に一定位置のセルに移動する場合、複数のセルの対応イメージ全体は、一つのグループとして移動し、対応するセルの位置とその周辺にディスプレイされる。ポインタが移動したセルの位置に基づき、グループで移動してディスプレイされる複数のセルに加えて、それ以外のセルに対応イメージを追加的にディスプレイすることも可能であり、及び/又は前記複数のセルのうち特定のセルの対応イメージをディスプレイしないことも可能である。
【００２９】
分布図で現在実行中であるコンテンツを含むセルが短時間入力される場合、セルに関する情報、例えばコンテンツが音楽データである場合には歌手及び歌題目に関する情報、コンテンツが電話帳データである場合には最近格納されたデータに関する情報、コンテンツが写真映像/動画像データである場合には題目などを、上記セルに近い位置にディスプレイできる。セルに関する情報は、ユーザーにより設定され得る。さらに、セルの情報は、画面の上位メニューバーにディスプレイでき、コンテンツが音楽データである場合に代表曲をディスプレイできる。
【００３０】
ここで、セルの入力時間により遂行される機能は、本発明の実施形態に限定されるものではなく、変更可能である。
【００３１】
分布図で特定のセルが短時間入力されて選択される場合、前記特定のセルの対応イメージ及び前記特定のセルに関する情報がディスプレイできる。ここで、前記特定のセルに関する情報は、前記特定のセルに近い位置にディスプレイできる。したがって、前記特定のセルがコンテンツを含まない場合、“メモリなし(No memory)”のような情報が前記特定のセルの情報としてディスプレイされる。また、前記特定のセルに関する情報は、画面の上位メニューバーにディスプレイすることができる。
【００３２】
加えて、複数の特定のセルが短時間入力されて選択された後に実行が選択される場合、前記複数の特定のセルは選択された順に実行され得る。この実行は、前記複数の特定のセルの中で所定のセルが一定時間の間に２回入力された場合に実行することができる。
【００３３】
分布図で特定のセルが長時間入力されて選択される場合、前記特定のセル及び前記特定のセルの隣接セルに対応イメージをディスプレイすることがある。このとき、前記特定のセル及び隣接セルの対応イメージは、前記特定のセルを中心に隣接セルに位置してディスプレイされ、前記特定のセル及び隣接セルの対応イメージは、分布図にディスプレイされる分布軸のキーワードに従って順に拡張されてディスプレイされ得る。
【００３４】
前記特定のセル及び隣接セルは、一時的又は連続して拡大及びディスプレイすることができ、あるいは前記特定のセル及び隣接セルがディスプレイされた以後、一定時間前記特定のセルが更に入力される場合、隣接セルの対応イメージは消され得る。
【００３５】
また、前記特定のセル及び隣接セルの中で所定のセルが所定時間内に２回入力される場合、実行命令と判定し、選択されたセルに含まれるコンテンツを実行する。複数のセルのうち少なくとも２個のセルが選択される場合、選択されたセルに含まれるコンテンツが選択された順に実行される。コンテンツが実行される場合、ディスプレイ部の画面は、分布図から実行モードの画面へ転換され得る。
【００３６】
また、ポインタが、前記特定のセル及び隣接セルの中で所定のセルに入力された後に一定位置のセルに移動する場合、前記特定のセル及び隣接セルの対応イメージ全体は、一つのグループとして移動し、その後にポインタが移動したセルの位置にディスプレイされる。
【００３７】
ポインタが移動した位置に基づいて、グループで移動してディスプレイされる前記特定のセル及び隣接セルを表示するのに加えて、それ以外のセルに対応イメージを表示させることも可能であるし、あるいは前記特定のセル及び隣接セルの中で特定のセルの対応イメージをディスプレイしないことも可能である。
【００３８】
分布図で任意のセルが所定時間内に短く２回入力されて選択される場合、任意のセルに含まれたコンテンツが実行される。ここで、コンテンツが実行される場合、ディスプレイ部の画面は、分布図から実行モードの画面へ転換され得る。
【００３９】
また、前記特定のセルが複数のコンテンツを含む場合、最初のコンテンツ又はデフォルトに設定されたコンテンツが実行され、あるいはユーザーにより選択されるコンテンツが実行され得る。
【００４０】
上記のように構成される本発明の実施形態について、図２Ａ乃至図４を参照してより詳細に説明する。図２Ａ乃至図４は、携帯デバイスに格納された複数のコンテンツの中で音楽データに関連するコンテンツを示し、分布図にディスプレイされる分布軸がＸ軸とＹ軸で構成される一例を説明する。
【００４１】
図２Ａ及び図２Ｂは、本発明の実施形態によるコンテンツ検索手順を示すフローチャートである。図３は、図２Ａに関連した分布図で、現在再生中であるコンテンツを含むセルの位置及び分布軸の変更に基づいて再生中であるコンテンツを含むセルの位置が変更されるプロセスを説明する図であり、図４は、図２Ｂに関連した分布図から選択される任意のセルのディスプレイ及び再生プロセスを説明する図である。
【００４２】
図２Ａを参照すると、携帯デバイスは、ステップ２０１で、所定のコンテンツＡ１を再生している再生モードにある。ステップ２０１の再生モードで、携帯デバイスに備えられたハイブ(Hive)ボタンが入力(例えば、タッチ)されると、携帯デバイスの制御部(図示せず)は、ステップ２０２で、これを検出し、分布図で現在再生中であるコンテンツＡ１の位置をディスプレイするステップ２０３に進行する。
【００４３】
ステップ２０３で、キーワードを有するＸ軸及びＹ軸を含む分布軸に従って４個の領域に分けられ、キーワードの組み合わせによって各領域に含まれる複数のセルをディスプレイする分布図において、制御部は、現在再生中であるコンテンツＡ１を含むセルの位置を対応イメージでディスプレイする。このとき、対応イメージは、再生中であるコンテンツＡ１を含むアルバムのジャケットイメージであり得る。
【００４４】
ステップ２０４で、制御部は、ハイブボタンが再び入力されるか否かを検出する。ハイブボタンが入力されたことを検出する場合、制御部は、ステップ２０５で、キーワードが変更された分布軸と新たなＧＵＩスキン画面で複数のセルをディスプレイする分布図で、再生中であるコンテンツＡ１を含むセルの位置を対応イメージでディスプレイする。
【００４５】
制御部は、ハイブボタンが入力されるたびに、異なるキーワードを有する分布軸と新たなＧＵＩスキン画面で複数のセルをディスプレイする分布図をディスプレイし、分布図で異なるキーワードに従って変更される再生中であるコンテンツＡ１を含むセルの位置を対応イメージでディスプレイする。
【００４６】
また、制御部は、ハイブボタンが入力されるたびに対応分布図を表示するために、複数の面それぞれに対応分布図を有する３次元イメージを回転させるなどの方法で、対応ユーザーに視覚的な効果を提供することができる。
【００４７】
ステップ２０３又はステップ２０５で説明したように、分布図で再生中であるコンテンツＡ１を含むセルの位置を対応イメージでディスプレイしている間に、現在再生中であるコンテンツＡ１を含むセルが選択される場合、制御部は、これを検出し、セル近くに、セルに含まれたコンテンツＡ１の情報、例えば歌題目及び歌手に関する情報をディスプレイすることができる。
【００４８】
ステップ２０１〜２０５は、図３を参照して説明する。図３の(ａ)は、再生モードで対応コンテンツを再生するステップ２０１を示す。図３の(ｂ)は、図３の(ａ)に示す状態でハイブボタンが入力される場合、分布軸に従って分けられる複数のセルをディスプレイする分布図で再生中であるコンテンツを含むセルの位置を対応アルバムジャケットイメージでディスプレイするステップ２０３を示す。
【００４９】
図３の(ｃ)〜(ｅ)は、図３の(ｂ)に示す状態で、ハイブボタンが入力されるたびに、異なるキーワードを有する分布軸と新たなＧＵＩスキン画面で複数のセルをディスプレイする分布図で、異なるキーワードに従って変更される再生中のコンテンツを含むセルの位置が対応アルバムジャケットイメージでディスプレイされるステップ２０５を示す。
【００５０】
ステップ２０３又は２０５で説明したように、分布図で再生中であるコンテンツＡ１を含むセルの位置を対応イメージでディスプレイしている間に、セルが選択される場合、制御部は、ステップ２０６で、これを検出し、セルの入力(例えば、タッチ)される時間を判定する。
【００５１】
再生中であるコンテンツＡ１を含むセルが選択される間、コンテンツＡ１は、継続して再生モードを維持できる。
【００５２】
セルの入力時間が所定時間以上である場合、制御部は、ステップ２０７で、これを感知し、セルに含まれた少なくとも一つのコンテンツＡ１〜Ａｎを少なくとも一つのセルの対応イメージとしてディスプレイするステップ２０８に進行する。
【００５３】
ステップ２０８で、制御部は、セルに現在再生中であるコンテンツＡ１のみを含む場合に、現在再生中であるコンテンツのみがセルに存在することを表す情報をディスプレイし、セルが複数のコンテンツＡ１〜Ａｎを含む場合に複数のコンテンツＡ１〜Ａｎに対応する複数のセルに対応イメージをディスプレイする。
【００５４】
複数のコンテンツＡ１〜Ａｎに対応する複数のセルの対応イメージは、アルバムジャケットイメージから選択されるイメージであって、複数のコンテンツを相互に区分できるイメージであり、あるいは対応コンテンツに関する情報、例えば歌題目及び歌手の情報が記録されているアルバムジャケットイメージであり得る。
【００５５】
また、複数のコンテンツＡ１〜Ａｎに対応する複数のセルに対応イメージをディスプレイする場合、制御部は、再生中であるコンテンツＡ１を含むセルを中心に隣接セルに複数のセルの対応イメージを配置してディスプレイする。このとき、複数のセルの対応イメージは、分布図にディスプレイされる分布軸のキーワードに従って順に拡張及びディスプレイされる。この場合、複数のセルは、一時的又は連続的に拡大されディスプレイされる。また、複数のセルがディスプレイされた後に、所定時間内に現在実行中であるコンテンツＡ１を含むセルが更に入力される場合、制御部は、複数のセルの対応イメージが消されるようにする。
【００５６】
ステップ２０８で、複数のセルに対応イメージがディスプレイされている間に、所定のセルが所定時間内で２回選択される場合、制御部は、ステップ２０９で、これを感知し、選択されたセルに含まれるコンテンツを再生するステップ２１０に進行する。ステップ２１０で、選択されたセルに含まれるコンテンツの再生時に、携帯デバイスは、再生モードに転換してコンテンツの再生を示す情報をディスプレイすることができる。
【００５７】
さらに、ステップ２０８で、複数のセルに対応イメージがディスプレイされている間に、所定のセルにポインタが入力された後に一定位置のセルに移動する場合、制御部は、ステップ２１１で、これを検出し、複数のセルの対応イメージ全体をグループで移動し、ポインタが移動したセルの位置とその周辺に複数のセルの対応イメージをディスプレイするステップ２１２に進行する。
【００５８】
ステップ２１２で、制御部は、ポインタが移動したセルの位置に従って、グループで移動してディスプレイされる複数のセルに加えて、それ以外のセルに対応イメージを追加でディスプレイすることも可能であり、あるいは前記複数の特定のセルのうち１つ又は２つ以上のセルの対応イメージをディスプレイしないことも可能である。
【００５９】
ステップ２０３又は２０５で説明したように、分布図で再生中であるコンテンツＡ１を含むセルの位置を対応イメージでディスプレイしている間に、セルが所定時間より短い時間で入力される場合、制御部は、ステップ２１３で、これを感知し、再生中であるコンテンツＡ１を含むセルに関する情報、例えば歌題目及び歌手に関する情報を再生中であるコンテンツＡ１を含むセルの近くにディスプレイするステップ２１４に進行する。さらに、制御部は、画面の上位メニューバーにセルに含まれるアルバムのコンテンツのうち代表曲を別途にディスプレイすることができる。
【００６０】
ステップ２０３又は２０５で説明したように、分布図で再生中であるコンテンツＡ１を含むセルの位置を対応イメージでディスプレイしている間に、特定のセルが選択される場合、制御部は、ステップ２１３で、これを検出してセルの入力時間を判定する。
【００６１】
任意のセルが選択される間に、コンテンツＡ１を含むセルの対応イメージは消え、コンテンツＡ１に対する再生モードは継続して維持することができる。そうでなければ、前記特定のセルが選択される間に、コンテンツＡ１を含むセルの対応イメージは消え、コンテンツＡ１に対する再生モードは終了することができる。
【００６２】
前記特定のセルが所定時間より短い時間で入力(タッチ)される場合、制御部は、ステップ２１６で、これを感知し、ステップ２１７で、前記特定のセルの対応アルバムジャケットイメージをディスプレイし、前記特定の近くに、前記特定のセルに関する情報、例えば歌題目と歌手の情報をディスプレイすることができる。また、制御部は、画面の上位メニューバーに、前記特定のセルに関する情報、例えばアルバムの代表曲に関する情報をディスプレイすることができる。
【００６３】
複数の特定のセルが所定時間より短い時間で入力された後に、再生機能が選択される場合、制御部は、ステップ２１８で、これを感知し、前記複数の特定のセルが選択された順に再生するステップ２１９に進行する。このとき、前記複数の特定のセルが選択された後に前記複数の特定のセルのうち所定のセルが所定時間内に２回入力される場合、制御部は、再生機能が選択されたと判定できる。
【００６４】
また、特定のセルが所定時間より長い時間で入力される場合、制御部は、ステップ２２０でこれを感知し、前記特定のセルとその隣接セルを対応イメージでディスプレイするステップ２２１に進行する。
【００６５】
ステップ２２１で、制御部は、前記特定のセルを中心に、前記特定のセルと隣接セルの位置に前記特定のセルと隣接セルの対応イメージを配置及びディスプレイする。ここで、制御部は、前記特定のセルと隣接セルの対応イメージが分布図にディスプレイされる分布軸のキーワードによって順に拡張してディスプレイするように制御する。
【００６６】
また、ステップ２２１で、制御部は、前記特定のセルと隣接セルを一時的又は連続して拡大してディスプレイすることができる。加えて、ステップ２２１で、複数のセルの対応イメージがディスプレイされた後に、現在実行中であるコンテンツを含むセルが対応所定時間内に再び入力される場合、制御部は、複数のセルの対応イメージが消えるようにする。
【００６７】
ステップ２２１で、前記特定のセルと隣接セルの対応イメージがディスプレイされている間に、所定のセルが所定時間内に２回入力される場合、制御部は、ステップ２２２で、これを感知し、選択されたセルに含まれたコンテンツを再生するステップ２２３に進行する。
【００６８】
ステップ２２３で、選択されたセルに含まれるコンテンツを再生する場合、携帯デバイスは、再生モードに転換してコンテンツが再生中であることを示す情報をディスプレイする。
【００６９】
また、ステップ２２１で、前記特定のセル及び隣接セルの対応イメージをディスプレイしている間に、所定のセルにポインタが入力された後に特定の位置のセルに移動する場合、制御部は、ステップ２２４でこれを検出し、特定のセル及び隣接セルの対応イメージ全体を一つのグループで移動し、ポインタが移動したセルの位置とその周辺に任意のセル及び隣接セルの対応イメージをディスプレイするステップ２２５に進行する。
【００７０】
ステップ２２５で、制御部は、ポインタが移動したセルの位置に従って、グループで移動した任意のセル及び隣接セル以外のセルに対応イメージを追加でディスプレイすることも可能であるし、及び/又は前記セル及び隣接セルのうち一つ以上の特定のセルの対応イメージをディスプレイしないことも可能である。
【００７１】
また、前記特定のセルが所定時間で２回入力される場合、制御部は、ステップ２２６でこれを感知し、前記特定のセルに対応イメージをディスプレイし、前記特定のセルに含まれたコンテンツを再生するステップ２２７に進行する。
【００７２】
ステップ２２７で、前記特定のセルが複数のコンテンツを含む場合、制御部は、デフォルトとして設定されるコンテンツ又は最初のコンテンツを再生し、あるいはユーザーによってコンテンツを設定することができる。ステップ２２７で、任意のセルに含まれたコンテンツが再生される場合、携帯デバイスは、再生モードに転換してコンテンツの再生中であることを示す情報をディスプレイする。
【００７３】
上記のステップ２１７，２２１，２２７，２２３について、図４を参照して説明する。図４の(ａ)は、分布図で特定のセルが所定時間より短い時間で入力される場合、特定のセルを対応アルバムジャケットイメージでディスプレイするステップ２１７を示す。
【００７４】
図４の(ｂ)は、図４の(ａ)に示す状態で、特定のセルが所定時間内に２回入力される場合、再生モードに転換して任意のセルに含まれたコンテンツを再生するステップ２２７を示す。
【００７５】
図４の(ｃ)は、特定のセルが選択される場合、画面の上位メニューバーに任意のセルに関する情報がディスプレイされることを示す。
【００７６】
図４の(ｄ)〜(ｅ)は、特定のセルが所定時間以上の時間で入力される場合、前記特定のセルと隣接セルの対応イメージをディスプレイするステップ２２１を示す。
【００７７】
図４の(ｆ)は、図４の(ｄ)〜(ｅ)に示す状態で、所定のセルが所定時間内に２回入力される場合、再生モードに転換して所定のセルに含まれたコンテンツを再生するステップ２２３を示す。
【００７８】
上記したように、本発明の実施形態では、一般的な入力データの処理及び出力データの生成を含み、入力データの処理及び出力データの生成は、ハードウェア又はソフトウェアとハードウェアとの組み合わせを通じて遂行することができる。例えば、特定の電子部品が、上述した本発明の実施形態に基づくコンテンツ検索、及び表示に関連した機能を実行するための携帯デバイス、又は、それに類似又は関連する回路内で使用される。あるいは、格納されている指示語に従って動作する少なくとも一つ又はそれ以上のプロセッサは、上記した本発明の実施形態によるコンテンツの検索及び表示に関連した機能を遂行することができる。このような場合、これら指示語が一つ又はそれ以上のプロセッサ読み取り可能な記録媒体に格納されることは、現在開示されている範囲内にある。プロセッサ読み取り可能な記録媒体の例としては、ＲＯＭ(Read-Only Memory)、ＲＡＭ(Random-Access Memory)、ＣＤ-ＲＯＭ、磁気テープ、フロッピー(登録商標)ディスク、光データ格納デバイスを含む。また、これらプロセッサ読み取り可能な記録媒体は、ネットワーク接続されたコンピュータシステムにわたって分散されることによって、指示語は分散形態で格納及び遂行される。また、本発明を達成するための機能的コンピュータプログラム、指示語、及び指示セグメントは、当該技術分野における熟練されたプログラマにとっては容易に理解できることである。
【００７９】
以上、本発明の詳細な説明においては具体的な実施形態に関して説明したが、特許請求の範囲の記載及びこれと均等なものに基づいて定められる本発明の範囲及び趣旨を逸脱することなく、形式や細部の様々な変更が可能であることは、当該技術分野における通常の知識を持つ者には明らかである。
【符号の説明】
【００８０】
Ａ１〜Ａｎ  コンテンツ
【図１Ａ】
0005497915.tif 000002
【図１Ｂ】
0005497915.tif 000003
【図２Ａ】
0005497915.tif 000004
【図２Ｂ】
0005497915.tif 000005
【図３】
0005497915.tif 000006
【図４】
0005497915.tif 000007